(57)【特許請求の範囲】
【請求項１】
複数の抵抗器と、前記複数の抵抗器の接続状態を変えるスイッチング装置とを有する抵抗器群を１以上と、前記抵抗器若しくは前記スイッチング装置と接続される抵抗ユニット側端子とを有する抵抗ユニットと、
前記複数の抵抗器を冷却する冷却ファンと、試験対象電源と接続する電源端子部と、前記スイッチング装置のオンオフ制御を行う操作スイッチを含む操作部と、前記操作スイッチの操作状態に応じて前記スイッチング装置のオンオフ制御を行うために前記抵抗ユニットと制御線を介して接続する接続端子を含む制御端子部とを有する冷却部とを備え、
前記抵抗ユニットは、複数設けられ、前記冷却部の上部に着脱可能な状態で積み重ねられ、
前記抵抗ユニットにおける前記抵抗ユニット側端子と、他の抵抗ユニットにおける前記抵抗ユニット側端子との第１接続や、前記抵抗ユニットのうち前記冷却部と隣接するものにおける前記抵抗ユニット側端子と、前記冷却部の電源端子部との第２接続は、前記冷却部の上に前記抵抗ユニットを積み重ねた後に、着脱可能な導電性の接続部材を介して行われることを特徴とする負荷試験装置。
【請求項２】
前記抵抗ユニットは、前記抵抗器が横方向に並べられた抵抗器列を偶数段有し、
前記抵抗器列を構成する隣接する２つの抵抗器の中間の位置に、縦方向に隣接する抵抗器列の抵抗器が配置されることを特徴とする請求項１に記載の負荷試験装置。
【請求項３】
前記抵抗ユニット側端子、前記第１接続に用いられる前記接続部材は、導電性の板で構成され、
前記第２接続に用いられる前記接続部材は、導電性のケーブルで構成され、
前記第１接続、前記第２接続は、ネジ止めで行われることを特徴とする請求項１に記載の負荷試験装置。
【請求項４】
前記抵抗器群は、前記複数の抵抗器として、第１抵抗器〜第６抵抗器を有し、
前記電源端子部は、第１三相交流発電機と接続するために使用される第１電源端子部と、前記第１三相交流発電機よりも高電圧の第２三相交流発電機と接続するために使用される第２電源端子部とを有し、
前記抵抗ユニット側端子は、前記接続部材を介して前記第１電源端子部のＵ相端子と接続される第１Ｕ相抵抗ユニット側端子、前記接続部材を介して前記第１電源端子部のＶ相端子と接続される第１Ｖ相抵抗ユニット側端子、前記接続部材を介して前記第１電源端子部のＷ相端子と接続される第１Ｗ相抵抗ユニット側端子、前記接続部材を介して前記第２電源端子部のＵ相端子と接続される第２Ｕ相抵抗ユニット側端子、前記接続部材を介して前記第２電源端子部のＶ相端子と接続される第２Ｖ相抵抗ユニット側端子、前記接続部材を介して前記第２電源端子部のＷ相端子と接続される第２Ｗ相抵抗ユニット側端子を有し、
前記操作部は、前記第１三相交流発電機を前記試験対象電源として負荷試験を行う第１モードと、前記第２三相交流発電機を前記試験対象電源として負荷試験を行う第２モードを切替操作するためのモードスイッチを有し、
前記第１電源端子部に前記第１三相交流発電機が接続され、前記モードスイッチを前記第１モードに対応する操作位置に合わせた場合には、前記第１三相交流発電機のＲ相からの電流が、前記抵抗器群のうちオン状態にされたスイッチング装置を含む抵抗器群において、前記第１Ｕ相抵抗ユニット側端子を介して、並列に接続された前記第１抵抗器と前記第４抵抗器に流れうる状態にされ、前記第１三相交流発電機のＳ相からの電流が、前記抵抗器群のうちオン状態にされたスイッチング装置を含む抵抗器群において、前記第１Ｖ相抵抗ユニット側端子を介して、並列に接続された前記第２抵抗器と前記第５抵抗器に流れうる状態にされ、前記第１三相交流発電機のＴ相からの電流が、前記抵抗器群のうちオン状態にされたスイッチング装置を含む抵抗器群において、前記第１Ｗ相抵抗ユニット側端子を介して、並列に接続された前記第３抵抗器と前記第６抵抗器に流れうる状態にされ、
前記第２電源端子部に前記第２三相交流発電機が接続され、前記モードスイッチを前記第２モードに対応する操作位置に合わせた場合には、前記第２三相交流発電機のＲ相からの電流が、前記抵抗器群のうちオン状態にされたスイッチング装置を含む抵抗器群において、前記第２Ｕ相抵抗ユニット側端子を介して、直列に接続された前記第１抵抗器と前記第４抵抗器に流れうる状態にされ、前記第２三相交流発電機のＳ相からの電流が、前記抵抗器群のうちオン状態にされたスイッチング装置を含む抵抗器群において、前記第２Ｖ相抵抗ユニット側端子を介して、直列に接続された前記第２抵抗器と前記第５抵抗器に流れうる状態にされ、前記第２三相交流発電機のＴ相からの電流が、前記抵抗器群のうちオン状態にされたスイッチング装置を含む抵抗器群において、前記第２Ｗ相抵抗ユニット側端子を介して、直列に接続された前記第３抵抗器と前記第６抵抗器に流れうる状態にされることを特徴とする請求項３に記載の負荷試験装置。
【請求項５】
前記冷却部は、前記モードスイッチの操作位置に連動してオンオフ制御される短絡スイッチを更に有し、
前記モードスイッチを前記第１モードに対応する操作位置に合わせた場合には、前記短絡スイッチを介して、前記第４抵抗器〜前記第６抵抗器が接続された状態にされることを特徴とする請求項４に記載の負荷試験装置。
【請求項６】
前記第１Ｕ相端子や前記第１Ｖ相端子や前記第１Ｗ相端子の近傍、前記第２Ｕ相端子や前記第２Ｖ相端子や前記第２Ｗ相端子と前記短絡スイッチの間に、前記モードスイッチの操作位置に対応して、オンオフ状態が変化するオンオフスイッチが設けられることを特徴とする請求項５に記載の負荷試験装置。
【請求項７】
前記制御線は、一方が前記抵抗ユニット側端子と着脱可能なコネクタ形状を有し、他方が前記制御端子部と着脱可能なコネクタ形状を有することを特徴とする請求項１に記載の負荷試験装置。
【発明の詳細な説明】
【技術分野】
【０００１】
本発明は、負荷試験装置に関する。
【背景技術】
【０００２】
従来、特許文献１のように、三相交流発電機の負荷試験を行う負荷試験装置が提案されている。
【先行技術文献】
【特許文献】
【０００３】
【特許文献１】特開平０９−１５３０９号公報
【発明の概要】
【発明が解決しようとする課題】
【０００４】
負荷試験装置は、少なくとも、抵抗器が並べられた抵抗ユニットは、一体で構成されたものが一般的であり、移動する際には、当該一体で構成された抵抗ユニットを持ち運びする必要があった。
【０００５】
したがって本発明の目的は、容易に持ち運び可能な負荷試験装置を提供することである。
【課題を解決するための手段】
【０００６】
本発明に係る負荷試験装置は、複数の抵抗器と、複数の抵抗器の接続状態を変えるスイッチング装置とを有する抵抗器群を１以上と、抵抗器若しくはスイッチング装置と接続される抵抗ユニット側端子とを有する抵抗ユニットと、複数の抵抗器を冷却する冷却ファンと、試験対象電源と接続する電源端子部と、スイッチング装置のオンオフ制御を行う操作スイッチを含む操作部と、操作スイッチの操作状態に応じてスイッチング装置のオンオフ制御を行うために抵抗ユニットと制御線を介して接続する接続端子を含む制御端子部とを有する冷却部とを備え、抵抗ユニットは、複数設けられ、冷却部の上部に着脱可能な状態で積み重ねられ、抵抗ユニットにおける抵抗ユニット側端子と、他の抵抗ユニットにおける抵抗ユニット側端子との第１接続や、抵抗ユニットのうち冷却部と隣接するものにおける抵抗ユニット側端子と、冷却部の電源端子部との第２接続は、冷却部の上に抵抗ユニットを積み重ねた後に、着脱可能な導電性の接続部材を介して行われることを特徴とする。
【０００７】
複数の抵抗ユニットや冷却部が別体の状態で、持ち運びし、負荷試験を行う場所の近くで、これらを積み重ね、電気的な接続を行って負荷試験装置を組み上げることが可能となる。また、持ち運び自体も、負荷試験装置を一体で持ち運びする形態に比べて容易になる。
【０００８】
また、抵抗ユニットのそれぞれは、抵抗器の仕様（定格電圧、定格容量など）の違いの他は、略同じ形状で略同じ配置の部材で構成されるので、１つの抵抗ユニットに不具合が生じた場合に、負荷試験装置の全てを取り替えずに、当該不具合が生じた抵抗ユニットだけを他の抵抗ユニットと取り替えて、負荷試験を行うことが可能になる。
【０００９】
組み立て時に、抵抗ユニット間や、冷却部との配線作業が必要になるが、抵抗器の電気的な接続は、接続部材の接続（ネジ止めなど）で行え、スイッチング装置の制御線の接続は、端子接続（コネクタ接続）で行えるため、誤配線せずに容易に配線を完了させることが可能になる。
【００１０】
また、抵抗ユニット側端子の形状や配置が他の抵抗ユニットと共通するため、抵抗ユニット間の端子を接続させる接続部材の形状を共通化し、ネジ止めなどの作業を簡素化出来る。
【００１１】
冷却ファンの冷却能力や、操作部や制御端子部の仕様の範囲内で、抵抗ユニットの数を代えて、様々な負荷に対応した負荷試験を行うことが可能になる。
【００１２】
好ましくは、抵抗ユニットは、抵抗器が横方向に並べられた抵抗器列を偶数段有し、抵抗器列を構成する隣接する２つの抵抗器の中間の位置に、縦方向に隣接する抵抗器列の抵抗器が配置されることを特徴とする。
【００１３】
冷却ユニットを複数段積み重ねても、冷却部による抵抗器の冷却を効率良く行える。
【００１４】
また、好ましくは、抵抗ユニット側端子、第１接続に用いられる接続部材は、導電性の板で構成され、第２接続に用いられる接続部材は、導電性のケーブルで構成され、第１接続、第２接続は、ネジ止めで行われることを特徴とする。
【００１５】
抵抗ユニットの端子と他の抵抗ユニットの端子の間は、比較的距離が短く、通常は側面が覆われているため、異物が侵入して接続部材とフレームが短絡する可能性は低い。このため、接続バーのような導電性の板で構成された接続部材が利用出来る。
【００１６】
一方、下端の抵抗ユニットの端子と冷却部の端子の間は、比較的距離が長く、冷却ファンの吸気のために、側面が覆われておらず、異物が侵入して接続部材とフレームが短絡する可能性が高い。このため、接続ケーブルのように両端の端子接触部位以外はビニールなどの絶縁物で覆われた接続部材を利用するのが適当である。
【００１７】
さらに好ましくは、抵抗器群は、複数の抵抗器として、第１抵抗器〜第６抵抗器を有し、電源端子部は、第１三相交流発電機と接続するために使用される第１電源端子部と、第１三相交流発電機よりも高電圧の第２三相交流発電機と接続するために使用される第２電源端子部とを有し、抵抗ユニット側端子は、接続部材を介して第１電源端子部のＵ相端子と接続される第１Ｕ相抵抗ユニット側端子、接続部材を介して第１電源端子部のＶ相端子と接続される第１Ｖ相抵抗ユニット側端子、接続部材を介して第１電源端子部のＷ相端子と接続される第１Ｗ相抵抗ユニット側端子、接続部材を介して第２電源端子部のＵ相端子と接続される第２Ｕ相抵抗ユニット側端子、接続部材を介して第２電源端子部のＶ相端子と接続される第２Ｖ相抵抗ユニット側端子、接続部材を介して第２電源端子部のＷ相端子と接続される第２Ｗ相抵抗ユニット側端子を有し、操作部は、第１三相交流発電機を試験対象電源として負荷試験を行う第１モードと、第２三相交流発電機を試験対象電源として負荷試験を行う第２モードを切替操作するためのモードスイッチを有し、第１電源端子部に第１三相交流発電機が接続され、モードスイッチを第１モードに対応する操作位置に合わせた場合には、第１三相交流発電機のＲ相からの電流が、抵抗器群のうちオン状態にされたスイッチング装置を含む抵抗器群において、第１Ｕ相抵抗ユニット側端子を介して、並列に接続された第１抵抗器と第４抵抗器に流れうる状態にされ、第１三相交流発電機のＳ相からの電流が、抵抗器群のうちオン状態にされたスイッチング装置を含む抵抗器群において、第１Ｖ相抵抗ユニット側端子を介して、並列に接続された第２抵抗器と第５抵抗器に流れうる状態にされ、第１三相交流発電機のＴ相からの電流が、抵抗器群のうちオン状態にされたスイッチング装置を含む抵抗器群において、第１Ｗ相抵抗ユニット側端子を介して、並列に接続された第３抵抗器と第６抵抗器に流れうる状態にされ、第２電源端子部に第２三相交流発電機が接続され、モードスイッチを第２モードに対応する操作位置に合わせた場合には、第２三相交流発電機のＲ相からの電流が、抵抗器群のうちオン状態にされたスイッチング装置を含む抵抗器群において、第２Ｕ相抵抗ユニット側端子を介して、直列に接続された第１抵抗器と第４抵抗器に流れうる状態にされ、第２三相交流発電機のＳ相からの電流が、抵抗器群のうちオン状態にされたスイッチング装置を含む抵抗器群において、第２Ｖ相抵抗ユニット側端子を介して、直列に接続された第２抵抗器と第５抵抗器に流れうる状態にされ、第２三相交流発電機のＴ相からの電流が、抵抗器群のうちオン状態にされたスイッチング装置を含む抵抗器群において、第２Ｗ相抵抗ユニット側端子を介して、直列に接続された第３抵抗器と第６抵抗器に流れうる状態にされることを特徴とする。
【００１８】
さらに好ましくは、冷却部は、モードスイッチの操作位置に連動してオンオフ制御される短絡スイッチを更に有し、モードスイッチを第１モードに対応する操作位置に合わせた場合には、短絡スイッチを介して、第４抵抗器〜第６抵抗器が接続された状態にされることを特徴とする。
【００１９】
さらに好ましくは、第１Ｕ相端子や第１Ｖ相端子や第１Ｗ相端子の近傍、第２Ｕ相端子や第２Ｖ相端子や第２Ｗ相端子と短絡スイッチの間に、モードスイッチの操作位置に対応して、オンオフ状態が変化するオンオフスイッチが設けられることを特徴とする。
【００２０】
誤配線時に負荷試験装置に想定外の電流が流れないようにできる。
【００２１】
また、好ましくは、制御線は、一方が抵抗ユニット側端子と着脱可能なコネクタ形状を有し、他方が制御端子部と着脱可能なコネクタ形状を有することを特徴とする。
【発明の効果】
【００２２】
以上のように本発明によれば、容易に持ち運び可能な負荷試験装置を提供することができる。
【図面の簡単な説明】
【００２３】
【図１】本実施形態における負荷試験装置の構成を示す模式図である。
【図２】本実施形態における負荷試験装置の正面図である。
【図３】本実施形態における負荷試験装置の側面図である。
【図４】第１壁〜第４壁を取り除いた第１抵抗ユニット〜第４抵抗ユニットを冷却部に積み上げる前の状態における、第１抵抗ユニット〜第４抵抗ユニットや冷却部の正面図である。
【図５】第１壁〜第４壁を取り除いた第１抵抗ユニット〜第４抵抗ユニットを冷却部に積み上げる前の状態における、第１抵抗ユニット〜第４抵抗ユニットや冷却部の側面図である。
【図６】第１壁〜第４壁を取り除いた第１抵抗ユニット〜第４抵抗ユニットを冷却部に積み上げ、制御線や接続バーや接続ケーブルを取り付ける前の状態における、第１抵抗ユニット〜第４抵抗ユニットや冷却部の正面図である。
【図７】第１壁〜第４壁を取り除いた第１抵抗ユニット〜第４抵抗ユニットを冷却部に積み上げ、制御線や接続バーや接続ケーブルを取り付けた後の状態における、第１抵抗ユニット〜第４抵抗ユニットや冷却部の正面図である。
【図８】第１壁〜第４壁を取り除いた第１抵抗ユニット〜第４抵抗ユニットを冷却部に積み上げ、制御線を取り付ける前の状態における、第１抵抗ユニット〜第４抵抗ユニットや冷却部の側面図である。
【図９】操作部と制御端子部の構成を示す図である。
【図１０】接続バーや接続ケーブルを取り付ける前の状態における、第１抵抗ユニット〜第４抵抗ユニットや冷却部の回路図である。
【図１１】接続バーや接続ケーブルを取り付けた後の状態における、第１抵抗ユニット〜第４抵抗ユニットや冷却部の回路図である。
【図１２】図１１の詳細を示すもので、冷却部と第４抵抗ユニットの一部を示す回路図である。
【図１３】図１１の詳細を示すもので、第４抵抗ユニットを示す回路図である。
【図１４】図１１の詳細を示すもので、第３抵抗ユニットを示す回路図である。
【図１５】図１１の詳細を示すもので、第２抵抗ユニットを示す回路図である。
【図１６】図１１の詳細を示すもので、第１抵抗ユニットを示す回路図である。
【図１７】オンオフスイッチを設けた冷却部と、第４抵抗ユニットの一部を示す回路図である。
【発明を実施するための形態】
【００２４】
以下、本実施形態について、図を用いて説明する。本実施形態における乾式の負荷試験装置１は、第１抵抗ユニット１０、第２抵抗ユニット２０、第３抵抗ユニット３０、第４抵抗ユニット４０、冷却部５０、制御線６０（第１制御線６１〜第４制御線６４）、接続部材（第１Ｕ相接続バーＵＣＢ１〜第６Ｕ相接続バーＵＣＢ６、第１Ｕ相接続ケーブルＵＣ１、第２Ｕ相接続ケーブルＵＣ２、第１Ｖ相接続バーＶＣＢ１〜第６Ｖ相接続バーＶＣＢ６、第１Ｖ相接続ケーブルＶＣ１、第２Ｖ相接続ケーブルＶＣ２、第１Ｗ相接続バーＷＣＢ１〜第６Ｗ相接続バーＷＣＢ６、第１Ｗ相接続ケーブルＷＣ１、第２Ｗ相接続ケーブルＷＣ２）を備える（図１〜図１６参照）。
【００２５】
なお、方向を説明するために、水平方向の一方をｘ方向、ｘ方向に垂直な水平方向をｙ方向、ｘ方向とｙ方向に垂直な鉛直方向をｚ方向として説明する。
【００２６】
第１抵抗ユニット１０、第２抵抗ユニット２０、第３抵抗ユニット３０、第４抵抗ユニット４０、冷却部５０は、ｚ方向に積み重ねられ、着脱可能な状態でネジ止め（図７参照）などを使って固定される。
【００２７】
第１抵抗ユニット１０〜第４抵抗ユニット４０の抵抗器Ｒに関する電気的な接続は、冷却部５０の電源端子部５６からのケーブル（第１Ｕ相接続ケーブルＵＣ１等）や接続バー（第１Ｕ相接続バーＵＣＢ１等）を使って行われる。
【００２８】
第１Ｕ相接続バーＵＣＢ１等の接続バーは、第１Ｕ相バーＵＢ１と第３Ｕ相バーＵＢ３の電気的な接続など、抵抗ユニットと他の抵抗ユニットの間の端子を接続する（第１接続）ために使用される導電性の板（ケーブルで構成されてもよい）で、両端部にはネジ穴が設けられ、当該端子とはネジ止めで着脱可能な状態で固定される。
【００２９】
第１Ｕ相接続ケーブルＵＣ１等のケーブルは、第７Ｕ相バーＵＢ７と第１Ｕ相端子Ｕ１の電気的な接続など、冷却部５０に近い抵抗ユニット（本実施形態では第４抵抗ユニット４０）と冷却部５０の間の端子を接続する（第２接続）ために使用される導電ケーブルで、両端部にはリングまたはクワ型ターミナルが設けられ、両端部以外はビニールなどの絶縁物で覆われ、当該端子とはネジ止めで着脱可能な状態で固定される。
【００３０】
抵抗ユニットの端子（例えば、第１Ｕ相バーＵＢ１）と他の抵抗ユニットの端子（例えば、第３Ｕ相バーＵＢ３）の間は、比較的距離が短く、通常は第１壁１７などで側面が覆われているため、異物が侵入して接続部材とフレーム（例えば、第1フレーム１１）が短絡する可能性は低い。このため、接続バーのような導電性の板で構成された接続部材が利用出来る。
【００３１】
一方、下端の抵抗ユニットの端子（例えば、第７Ｕ相バーＵＢ７）と冷却部５０の端子（例えば、第１Ｕ相端子Ｕ１）の間は、比較的距離が長く、冷却ファン５３の吸気のために、側面が覆われておらず、異物が侵入して接続部材とフレーム（第５フレーム５１）が短絡する可能性が高い。このため、接続ケーブルのように両端の端子接触部位以外は絶縁物で覆われた接続部材を利用するのが適当である。
【００３２】
第１抵抗ユニット１０〜第４抵抗ユニット４０のスイッチング装置ＳＷを制御するための制御線は、冷却部５０の制御端子部５７からのケーブル（第１制御線６１等）を使って行われる。
【００３３】
第１制御線６１等の制御線用のケーブルは、第１接続部１５と第１接続端子５７ａとの接続など、冷却部５０から各抵抗ユニットに設けられたスイッチング装置ＳＷのオンオフ制御を行うために使用されるケーブルで、一方が第１接続部１５と着脱可能なコネクタ形状を有し、他方が第１接続端子５７ａと着脱可能なコネクタ形状を有する。
【００３４】
第１抵抗ユニット１０の構成について説明する。第１抵抗ユニット１０は、第１フレーム１１、第１抵抗部１３、第１接続部１５、第１壁１７を有する。
【００３５】
第１フレーム１１は、第１抵抗部１３を収納する。また、第１フレーム１１の側部には、第１接続部１５が設けられる。また、第１フレーム１１の側部は、絶縁素材で構成され、第１抵抗部１３を構成する部材（第１Ｕ相バーＵＢ１、第２Ｕ相バーＵＢ２、第１Ｖ相バーＶＢ１、第２Ｖ相バーＶＢ２、第１Ｗ相バーＷＢ１、第２Ｗ相バーＷＢ２、第１抵抗器群Ｇ１〜第３抵抗器群Ｇ３）を覆う第１壁１７が設けられる。第１フレーム１１の上面と下面は、下部に設けられた冷却部５０からの冷風を上部に流すために開口する。
【００３６】
第１抵抗部１３は、ｘ方向に平行な棒状の抵抗器Ｒがｙ方向に所定の間隔を空けて複数本並べられた抵抗器列が、ｚ方向に１段以上並べられたもので、冷却部５０の電源端子部５６（第１Ｕ相端子Ｕ１と第１Ｖ相端子Ｖ１と第１Ｗ相端子Ｗ１、若しくは第２Ｕ相端子Ｕ２と第２Ｖ相端子Ｖ２と第２Ｗ相端子Ｗ２）を介して接続された発電機などの電源の負荷試験を行うために用いられる。
【００３７】
本実施形態では、第１フレーム１１には、ｙ方向に抵抗器Ｒを９本並べられた抵抗器列が、ｚ方向に２段並べられる。ただし、各抵抗器列に並べられる抵抗器Ｒの本数や、抵抗器列が積み重ねられる段数は、これに限るものではない。
【００３８】
冷却ユニットを複数段積み重ねても、冷却部５０による抵抗器Ｒの冷却を効率良く行えるように、第１抵抗ユニット１０の抵抗器列を構成する抵抗器Ｒと当該抵抗器Ｒとｙ方向に隣接する抵抗器Ｒの中間の位置に、ｚ方向に隣接する抵抗器列の抵抗器Ｒが配置されるように、各抵抗器列の抵抗器Ｒが配列され、抵抗ユニットの抵抗器列は偶数段並べられるのが望ましい。
【００３９】
第１フレーム１１内において、近接する６本の抵抗器Ｒを、１つの抵抗器群とし、試験対象電源からの電圧印加を行う抵抗器群の数を変えながら、負荷試験を行う。
【００４０】
第１抵抗部１３は、第１抵抗器群Ｇ１〜第３抵抗器群Ｇ３、第１Ｕ相バーＵＢ１、第２Ｕ相バーＵＢ２、第１Ｖ相バーＶＢ１、第２Ｖ相バーＶＢ２、第１Ｗ相バーＷＢ１、第２Ｗ相バーＷＢ２を有する。
【００４１】
本実施形態では、定格電圧：１１６Ｖ、定格容量：８３４Ｗの抵抗器Ｒを６本有する第１抵抗器群Ｇ１（定格容量：５ｋＷ、第２抵抗器群Ｇ２も同じ）、定格電圧：１１６Ｖ、定格容量：１．６７ｋＷの抵抗器Ｒを６本有する第３抵抗器群Ｇ３（定格容量：１０ｋＷ）が、設けられた例を示す。ただし、抵抗器群Ｇの数やそれぞれの定格電圧や定格容量は上述の構成に限るものではない。図５に示す第１抵抗ユニット１０の第１抵抗器群Ｇ１〜第３抵抗器群Ｇ３内の丸印の部分に、各抵抗器Ｒの端部が取り付けられる。
【００４２】
第１Ｕ相バーＵＢ１（第１Ｕ相抵抗ユニット側端子）は、第１抵抗ユニット１０におけるＵ相端子の１つで、第１Ｕ相接続バーＵＣＢ１、第２抵抗ユニット２０の第３Ｕ相バーＵＢ３、第３Ｕ相接続バーＵＣＢ３、第３抵抗ユニット３０の第５Ｕ相バーＵＢ５、第５Ｕ相接続バーＵＣＢ５、第４抵抗ユニット４０の第７Ｕ相バーＵＢ７、第１Ｕ相接続ケーブルＵＣ１を介して、冷却部５０の第１Ｕ相端子Ｕ１と接続される。
【００４３】
第１Ｖ相バーＶＢ１（第１Ｖ相抵抗ユニット側端子）は、第１抵抗ユニット１０におけるＶ相端子の１つで、第１Ｖ相接続バーＶＣＢ１、第２抵抗ユニット２０の第３Ｖ相バーＶＢ３、第３Ｖ相接続バーＶＣＢ３、第３抵抗ユニット３０の第５Ｖ相バーＶＢ５、第５Ｖ相接続バーＶＣＢ５、第４抵抗ユニット４０の第７Ｖ相バーＶＢ７、第１Ｖ相接続ケーブルＶＣ１を介して、冷却部５０の第１Ｖ相端子Ｖ１と接続される。
【００４４】
第１Ｗ相バーＷＢ１（第１Ｗ相抵抗ユニット側端子）は、第１抵抗ユニット１０におけるＷ相端子の１つで、第１Ｗ相接続バーＷＣＢ１、第２抵抗ユニット２０の第３Ｗ相バーＷＢ３、第３Ｗ相接続バーＷＣＢ３、第３抵抗ユニット３０の第５Ｗ相バーＷＢ５、第５Ｖ相接続バーＷＣＢ５、第４抵抗ユニット４０の第７Ｗ相バーＷＢ７、第１Ｗ相接続ケーブルＷＣ１を介して、冷却部５０の第１Ｗ相端子Ｗ１と接続される。
【００４５】
第２Ｕ相バーＵＢ２（第２Ｕ相抵抗ユニット側端子）は、第１抵抗ユニット１０におけるＵ相端子の１つで、第２Ｕ相接続バーＵＣＢ２、第２抵抗ユニット２０の第４Ｕ相バーＵＢ４、第４Ｕ相接続バーＵＣＢ４、第３抵抗ユニット３０の第６Ｕ相バーＵＢ６、第６Ｕ相接続バーＵＣＢ６、第４抵抗ユニット４０の第８Ｕ相バーＵＢ８、第２Ｕ相接続ケーブルＵＣ２を介して、冷却部５０の第２Ｕ相端子Ｕ２と接続される。
【００４６】
第２Ｖ相バーＶＢ２（第２Ｖ相抵抗ユニット側端子）は、第１抵抗ユニット１０におけるＶ相端子の１つで、第２Ｖ相接続バーＶＣＢ２、第２抵抗ユニット２０の第４Ｖ相バーＶＢ４、第４Ｖ相接続バーＶＣＢ４、第３抵抗ユニット３０の第６Ｖ相バーＶＢ６、第６Ｖ相接続バーＶＣＢ６、第４抵抗ユニット４０の第８Ｖ相バーＶＢ８、第２Ｖ相接続ケーブルＶＣ２を介して、冷却部５０の第２Ｖ相端子Ｖ２と接続される。
【００４７】
第２Ｗ相バーＷＢ２（第２Ｗ相抵抗ユニット側端子）は、第１抵抗ユニット１０におけるＷ相端子の１つで、第２Ｗ相接続バーＷＣＢ２、第２抵抗ユニット２０の第４Ｗ相バーＷＢ４、第４Ｗ相接続バーＷＣＢ４、第３抵抗ユニット３０の第６Ｗ相バーＷＢ６、第６Ｗ相接続バーＷＣＢ６、第４抵抗ユニット４０の第８Ｗ相バーＷＢ８、第２Ｗ相接続ケーブルＷＣ２を介して、冷却部５０の第２Ｗ相端子Ｗ２と接続される。
【００４８】
第１Ｕ相バーＵＢ１、第１Ｖ相バーＶＢ１、第１Ｗ相バーＷＢ１、第２Ｕ相バーＵＢ２、第２Ｖ相バーＶＢ２、第２Ｗ相バーＷＢ２は、鉄などの導電性の金属の板状部材で構成され、他の抵抗ユニットなどとの接続用のネジ穴や、スイッチング装置ＳＷや抵抗器Ｒとの接続用のネジ穴を有する。
【００４９】
第１抵抗器群Ｇ１は、６本の抵抗器Ｒ（第１抵抗器Ｒ１〜第６抵抗器Ｒ６）、２つのスイッチング装置ＳＷ（第１スイッチング装置ＳＷ１、第２スイッチング装置ＳＷ２）を有する（図１６参照）。
【００５０】
第１抵抗器Ｒ１〜第３抵抗器Ｒ３の一方の端子は、短絡バーで接続される。
【００５１】
第１抵抗器Ｒ１の他方の端子は、第１スイッチング装置ＳＷ１を介して、冷却部５０の第１Ｕ相端子Ｕ１からの線（第１Ｕ相ラインＬＵ１）上にある第１Ｕ相バーＵＢ１に接続される。
第２抵抗器Ｒ２の他方の端子は、第１スイッチング装置ＳＷ１を介して、冷却部５０の第１Ｖ相端子Ｖ１からの線（第１Ｖ相ラインＬＶ１）上にある第１Ｖ相バーＶＢ１に接続される。
第３抵抗器Ｒ３の他方の端子は、第１スイッチング装置ＳＷ１を介して、冷却部５０の第１Ｗ相端子Ｗ１からの線（第１Ｗ相ラインＬＷ１）上にある第１Ｗ相バーＷＢ１に接続される。
【００５２】
第４抵抗器Ｒ４の一方の端子は、第２スイッチング装置ＳＷ２を介して、冷却部５０の第１Ｕ相端子Ｕ１からの線（第１Ｕ相ラインＬＵ１）上にある第１Ｕ相バーＵＢ１に接続される。
第５抵抗器Ｒ５の一方の端子は、第２スイッチング装置ＳＷ２を介して、冷却部５０の第１Ｖ相端子Ｖ１からの線（第１Ｖ相ラインＬＶ１）上にある第１Ｖ相バーＶＢ１に接続される。
第６抵抗器Ｒ６の一方の端子は、第２スイッチング装置ＳＷ２を介して、冷却部５０の第１Ｗ相端子Ｗ１からの線（第１Ｗ相ラインＬＷ１）上にある第１Ｗ相バーＷＢ１に接続される。
【００５３】
第４抵抗器Ｒ４の他方の端子は、冷却部５０の第２Ｕ相端子Ｕ２からの線（第２Ｕ相ラインＬＵ２）上にある第２Ｕ相バーＵＢ２に接続される。
第５抵抗器Ｒ５の他方の端子は、冷却部５０の第２Ｖ相端子Ｖ２からの線（第２Ｖ相ラインＬＶ２）上にある第２Ｖ相バーＶＢ２に接続される。
第６抵抗器Ｒ６の他方の端子は、冷却部５０の第２Ｗ相端子Ｗ２からの線（第２Ｗ相ラインＬＷ２）上にある第２Ｗ相バーＷＢ２に接続される。
【００５４】
第１スイッチング装置ＳＷ１は、三連スイッチを構成し、第１抵抗器Ｒ１と第１Ｕ相バーＵＢ１、第２抵抗器Ｒ２と第１Ｖ相バーＶＢ１、第３抵抗器Ｒ３と第１Ｗ相バーＷＢ１の間の接続状態を制御する。
第２スイッチング装置ＳＷ２は、三連スイッチを構成し、第４抵抗器Ｒ４と第１Ｕ相バーＵＢ１、第５抵抗器Ｒ５と第１Ｖ相バーＶＢ１、第６抵抗器Ｒ６と第１Ｗ相バーＷＢ１の間の接続状態を制御する。
なお、第１スイッチング装置ＳＷ１と第２スイッチング装置ＳＷ２が六連スイッチを構成する形態であってもよい。
【００５５】
第１スイッチング装置ＳＷ１や第２スイッチング装置ＳＷ２のオンオフ制御を行う制御線は、第１接続部１５に接続される。第１接続部１５が、第１制御線６１を介して、冷却部５０の制御端子部５７（第１接続端子５７ａ）に接続された場合に、冷却部５０の操作部５５（第１操作スイッチＳ１）のオンオフ操作に対応して、第１スイッチング装置ＳＷ１や第２スイッチング装置ＳＷ２のオンオフ制御が行われる。
【００５６】
第２抵抗器群Ｇ２と第３抵抗器群Ｇ３は、第１抵抗器群Ｇ１と同様に、６本の抵抗器Ｒ（第１抵抗器Ｒ１〜第６抵抗器Ｒ６）と２つのスイッチング装置ＳＷ（第１スイッチング装置ＳＷ１、第２スイッチング装置ＳＷ２）を有するので、説明は省略する。ただし、定格電圧や定格容量に応じて、抵抗値Ｒの抵抗値は、抵抗器群ごとに異なる。
【００５７】
なお、第２抵抗器群Ｇ２の第１スイッチング装置ＳＷ１や第２スイッチング装置ＳＷ２は、操作部５５の第２操作スイッチＳ２のオンオフ操作に連動し、第３抵抗器群Ｇ３の第１スイッチング装置ＳＷ１や第２スイッチング装置ＳＷ２は、操作部５５の第３操作スイッチＳ３のオンオフ操作に連動する。
【００５８】
図４は、第１抵抗ユニット１０についてだけ、第１スイッチング装置ＳＷ１と第１Ｕ相端子Ｕ１との接続線などを簡単に図示し、第２抵抗ユニット２０〜第４抵抗ユニット４０については、かかる接続線の図示を省略している。
【００５９】
第２抵抗ユニット２０の構成について説明する。第２抵抗ユニット２０は、第２フレーム２１、第２抵抗部２３、第２接続部２５、第２壁２７を有する。
【００６０】
第２フレーム２１は、第２抵抗部２３を収納する。また、第２フレーム２１の側部には、第２接続部２５が設けられる。また、第２フレーム２１の側部は、絶縁素材で構成され、第２抵抗部２３を構成する部材（第３Ｕ相バーＵＢ３、第４Ｕ相バーＵＢ４、第３Ｖ相バーＶＢ３、第４Ｖ相バーＶＢ４、第３Ｗ相バーＷＢ３、第４Ｗ相バーＷＢ４、第４抵抗器群Ｇ４〜第６抵抗器群Ｇ６）を覆う第２壁２７が設けられる。第２フレーム２１の上面と下面は、下部に設けられた冷却部５０からの冷風を上部に流すために開口する。
【００６１】
第２抵抗部２３は、ｘ方向に平行な棒状の抵抗器Ｒがｙ方向に所定の間隔を空けて複数本並べられた抵抗器列が、ｚ方向に１段以上並べられたもので、冷却部５０の電源端子部５６（第１Ｕ相端子Ｕ１と第１Ｖ相端子Ｖ１と第１Ｗ相端子Ｗ１、若しくは第２Ｕ相端子Ｕ２と第２Ｖ相端子Ｖ２と第２Ｗ相端子Ｗ２）を介して接続された発電機などの電源の負荷試験を行うために用いられる。
【００６２】
本実施形態では、第２フレーム２１には、ｙ方向に抵抗器Ｒを９本並べられた抵抗器列が、ｚ方向に２段並べられる。ただし、各抵抗器列に並べられる抵抗器Ｒの本数や、抵抗器列が積み重ねられる段数は、これに限るものではない。
【００６３】
冷却ユニットを複数段積み重ねても、冷却部５０による抵抗器Ｒの冷却を効率良く行えるように、第２抵抗ユニット２０の抵抗器列を構成する抵抗器Ｒと当該抵抗器Ｒとｙ方向に隣接する抵抗器Ｒの中間の位置に、ｚ方向に隣接する抵抗器列の抵抗器Ｒが配置されるように、各抵抗器列の抵抗器Ｒが配列され、抵抗ユニットの抵抗器列は偶数段並べられるのが望ましい。
【００６４】
第２フレーム２１内において、近接する６本の抵抗器Ｒを、１つの抵抗器群とし、試験対象電源からの電圧印加を行う抵抗器群の数を変えながら、負荷試験を行う。
【００６５】
第２抵抗部２３は、第４抵抗器群Ｇ４〜第６抵抗器群Ｇ６、第３Ｕ相バーＵＢ３、第４Ｕ相バーＵＢ４、第３Ｖ相バーＶＢ３、第４Ｖ相バーＶＢ４、第３Ｗ相バーＷＢ３、第４Ｗ相バーＷＢ４を有する。
【００６６】
本実施形態では、定格電圧：１１６Ｖ、定格容量：１．６７ｋＷの抵抗器Ｒを６本有する第４抵抗器群Ｇ４（定格容量：１０ｋＷ、第５抵抗器群Ｇ５や第６抵抗器群Ｇ６も同じ）が、設けられた例を示す。ただし、抵抗器群Ｇの数やそれぞれの定格電圧や定格容量は上述の構成に限るものではない。図５に示す第２抵抗ユニット２０の第４抵抗器群Ｇ４〜第５抵抗器群Ｇ５内の丸印の部分に、各抵抗器Ｒの端部が取り付けられる。
【００６７】
第３Ｕ相バーＵＢ３（第１Ｕ相抵抗ユニット側端子）は、第２抵抗ユニット２０におけるＵ相端子の１つで、第３Ｕ相接続バーＵＣＢ３、第３抵抗ユニット３０の第５Ｕ相バーＵＢ５、第５Ｕ相接続バーＵＣＢ５、第４抵抗ユニット４０の第７Ｕ相バーＵＢ７、第１Ｕ相接続ケーブルＵＣ１を介して、冷却部５０の第１Ｕ相端子Ｕ１と接続される。
【００６８】
第３Ｖ相バーＶＢ３（第１Ｖ相抵抗ユニット側端子）は、第２抵抗ユニット２０におけるＶ相端子の１つで、第３Ｖ相接続バーＶＣＢ３、第３抵抗ユニット３０の第５Ｖ相バーＶＢ５、第５Ｖ相接続バーＶＣＢ５、第４抵抗ユニット４０の第７Ｖ相バーＶＢ７、第１Ｖ相接続ケーブルＶＣ１を介して、冷却部５０の第１Ｖ相端子Ｖ１と接続される。
【００６９】
第３Ｗ相バーＷＢ３（第１Ｗ相抵抗ユニット側端子）は、第２抵抗ユニット２０におけるＷ相端子の１つで、第３Ｗ相接続バーＷＣＢ３、第３抵抗ユニット３０の第５Ｗ相バーＷＢ５、第５Ｖ相接続バーＷＣＢ５、第４抵抗ユニット４０の第７Ｗ相バーＷＢ７、第１Ｗ相接続ケーブルＷＣ１を介して、冷却部５０の第１Ｗ相端子Ｗ１と接続される。
【００７０】
第４Ｕ相バーＵＢ４（第２Ｕ相抵抗ユニット側端子）は、第２抵抗ユニット２０におけるＵ相端子の１つで、第４Ｕ相接続バーＵＣＢ４、第３抵抗ユニット３０の第６Ｕ相バーＵＢ６、第６Ｕ相接続バーＵＣＢ６、第４抵抗ユニット４０の第８Ｕ相バーＵＢ８、第２Ｕ相接続ケーブルＵＣ２を介して、冷却部５０の第２Ｕ相端子Ｕ２と接続される。
【００７１】
第４Ｖ相バーＶＢ４（第２Ｖ相抵抗ユニット側端子）は、第２抵抗ユニット２０におけるＶ相端子の１つで、第４Ｖ相接続バーＶＣＢ４、第３抵抗ユニット３０の第６Ｖ相バーＶＢ６、第６Ｖ相接続バーＶＣＢ６、第４抵抗ユニット４０の第８Ｖ相バーＶＢ８、第２Ｖ相接続ケーブルＶＣ２を介して、冷却部５０の第２Ｖ相端子Ｖ２と接続される。
【００７２】
第４Ｗ相バーＷＢ４（第２Ｗ相抵抗ユニット側端子）は、第２抵抗ユニット２０におけるＷ相端子の１つで、第４Ｗ相接続バーＷＣＢ４、第３抵抗ユニット３０の第６Ｗ相バーＷＢ６、第６Ｗ相接続バーＷＣＢ６、第４抵抗ユニット４０の第８Ｗ相バーＷＢ８、第２Ｗ相接続ケーブルＷＣ２を介して、冷却部５０の第２Ｗ相端子Ｗ２と接続される。
【００７３】
第３Ｕ相バーＵＢ３、第３Ｖ相バーＶＢ３、第３Ｗ相バーＷＢ３、第４Ｕ相バーＵＢ４、第４Ｖ相バーＶＢ４、第４Ｗ相バーＷＢ４は、鉄などの導電性の金属の板状部材で構成され、他の抵抗ユニットなどとの接続用のネジ穴や、スイッチング装置ＳＷや抵抗器Ｒとの接続用のネジ穴を有する。
【００７４】
第４抵抗器群Ｇ４は、６本の抵抗器Ｒ（第１抵抗器Ｒ１〜第６抵抗器Ｒ６）、２つのスイッチング装置ＳＷ（第１スイッチング装置ＳＷ１、第２スイッチング装置ＳＷ２）を有する（図１５参照）。
【００７５】
第１抵抗器Ｒ１〜第３抵抗器Ｒ３の一方の端子は、短絡バーで接続される。
【００７６】
第１抵抗器Ｒ１の他方の端子は、第１スイッチング装置ＳＷ１を介して、冷却部５０の第１Ｕ相端子Ｕ１からの線（第１Ｕ相ラインＬＵ１）上にある第３Ｕ相バーＵＢ３に接続される。
第２抵抗器Ｒ２の他方の端子は、第１スイッチング装置ＳＷ１を介して、冷却部５０の第１Ｖ相端子Ｖ１からの線（第１Ｖ相ラインＬＶ１）上にある第３Ｖ相バーＶＢ３に接続される。
第３抵抗器Ｒ３の他方の端子は、第１スイッチング装置ＳＷ１を介して、冷却部５０の第１Ｗ相端子Ｗ１からの線（第１Ｗ相ラインＬＷ１）上にある第３Ｗ相バーＷＢ３に接続される。
【００７７】
第４抵抗器Ｒ４の一方の端子は、第２スイッチング装置ＳＷ２を介して、冷却部５０の第１Ｕ相端子Ｕ１からの線（第１Ｕ相ラインＬＵ１）上にある第３Ｕ相バーＵＢ３に接続される。
第５抵抗器Ｒ５の一方の端子は、第２スイッチング装置ＳＷ２を介して、冷却部５０の第１Ｖ相端子Ｖ１からの線（第１Ｖ相ラインＬＶ１）上にある第３Ｖ相バーＶＢ３に接続される。
第６抵抗器Ｒ６の一方の端子は、第２スイッチング装置ＳＷ２を介して、冷却部５０の第１Ｗ相端子Ｗ１からの線（第１Ｗ相ラインＬＷ１）上にある第３Ｗ相バーＷＢ３に接続される。
【００７８】
第４抵抗器Ｒ４の他方の端子は、冷却部５０の第２Ｕ相端子Ｕ２からの線（第２Ｕ相ラインＬＵ２）上にある第４Ｕ相バーＵＢ４に接続される。
第５抵抗器Ｒ５の他方の端子は、冷却部５０の第２Ｖ相端子Ｖ２からの線（第２Ｖ相ラインＬＶ２）上にある第４Ｖ相バーＶＢ４に接続される。
第６抵抗器Ｒ６の他方の端子は、冷却部５０の第２Ｗ相端子Ｗ２からの線（第２Ｗ相ラインＬＷ２）上にある第４Ｗ相バーＷＢ４に接続される。
【００７９】
第１スイッチング装置ＳＷ１は、三連スイッチを構成し、第１抵抗器Ｒ１と第３Ｕ相バーＵＢ３、第２抵抗器Ｒ２と第３Ｖ相バーＶＢ３、第３抵抗器Ｒ３と第３Ｗ相バーＷＢ３の間の接続状態を制御する。
第２スイッチング装置ＳＷ２は、三連スイッチを構成し、第４抵抗器Ｒ４と第３Ｕ相バーＵＢ３、第５抵抗器Ｒ５と第３Ｖ相バーＶＢ３、第６抵抗器Ｒ６と第３Ｗ相バーＷＢ３の間の接続状態を制御する。
なお、第１スイッチング装置ＳＷ１と第２スイッチング装置ＳＷ２が六連スイッチを構成する形態であってもよい。
【００８０】
第１スイッチング装置ＳＷ１や第２スイッチング装置ＳＷ２のオンオフ制御を行う制御線は、第２接続部２５に接続される。第２接続部２５が、第２制御線６２を介して、冷却部５０の制御端子部５７（第２接続端子５７ｂ）に接続された場合に、冷却部５０の操作部５５（第４操作スイッチＳ４）のオンオフ操作に対応して、第１スイッチング装置ＳＷ１や第２スイッチング装置ＳＷ２のオンオフ制御が行われる。
【００８１】
第５抵抗器群Ｇ５と第６抵抗器群Ｇ６は、第４抵抗器群Ｇ４と同様に、６本の抵抗器Ｒ（第１抵抗器Ｒ１〜第６抵抗器Ｒ６）と２つのスイッチング装置ＳＷ（第１スイッチング装置ＳＷ１、第２スイッチング装置ＳＷ２）を有するので、説明は省略する。ただし、定格電圧や定格容量に応じて、抵抗値Ｒの抵抗値は、抵抗器群ごとに異なる。
【００８２】
なお、第５抵抗器群Ｇ５の第１スイッチング装置ＳＷ１や第２スイッチング装置ＳＷ２は、操作部５５の第５操作スイッチＳ５のオンオフ操作に連動し、第６抵抗器群Ｇ６の第１スイッチング装置ＳＷ１や第２スイッチング装置ＳＷ２は、操作部５５の第６操作スイッチＳ６のオンオフ操作に連動する。
【００８３】
第３抵抗ユニット３０の構成について説明する。第３抵抗ユニット３０は、第３フレーム３１、第３抵抗部３３、第３接続部３５、第３壁３７を有する。
【００８４】
第３フレーム３１は、第３抵抗部３３を収納する。また、第３フレーム３１の側部には、第３接続部３５が設けられる。また、第３フレーム３１の側部は、絶縁素材で構成され、第３抵抗部３３を構成する部材（第５Ｕ相バーＵＢ５、第６Ｕ相バーＵＢ６、第５Ｖ相バーＶＢ５、第６Ｖ相バーＶＢ６、第５Ｗ相バーＷＢ５、第６Ｗ相バーＷＢ６、第７抵抗器群Ｇ７〜第９抵抗器群Ｇ９）を覆う第３壁３７が設けられる。第３フレーム３１の上面と下面は、下部に設けられた冷却部５０からの冷風を上部に流すために開口する。
【００８５】
第３抵抗部３３は、ｘ方向に平行な棒状の抵抗器Ｒがｙ方向に所定の間隔を空けて複数本並べられた抵抗器列が、ｚ方向に１段以上並べられたもので、冷却部５０の電源端子部５６（第１Ｕ相端子Ｕ１と第１Ｖ相端子Ｖ１と第１Ｗ相端子Ｗ１、若しくは第２Ｕ相端子Ｕ２と第２Ｖ相端子Ｖ２と第２Ｗ相端子Ｗ２）を介して接続された発電機などの電源の負荷試験を行うために用いられる。
【００８６】
本実施形態では、第３フレーム３１には、ｙ方向に抵抗器Ｒを９本並べられた抵抗器列が、ｚ方向に２段並べられる。ただし、各抵抗器列に並べられる抵抗器Ｒの本数や、抵抗器列が積み重ねられる段数は、これに限るものではない。
【００８７】
冷却ユニットを複数段積み重ねても、冷却部５０による抵抗器Ｒの冷却を効率良く行えるように、第３抵抗ユニット３０の抵抗器列を構成する抵抗器Ｒと当該抵抗器Ｒとｙ方向に隣接する抵抗器Ｒの中間の位置に、ｚ方向に隣接する抵抗器列の抵抗器Ｒが配置されるように、各抵抗器列の抵抗器Ｒが配列され、抵抗ユニットの抵抗器列は偶数段並べられるのが望ましい。
【００８８】
第３フレーム３１内において、近接する６本の抵抗器Ｒを、１つの抵抗器群とし、試験対象電源からの電圧印加を行う抵抗器群の数を変えながら、負荷試験を行う。
【００８９】
第３抵抗部３３は、第７抵抗器群Ｇ７〜第９抵抗器群Ｇ９、第５Ｕ相バーＵＢ５、第６Ｕ相バーＵＢ６、第５Ｖ相バーＶＢ５、第６Ｖ相バーＶＢ６、第５Ｗ相バーＷＢ５、第６Ｗ相バーＷＢ６を有する。
【００９０】
本実施形態では、定格電圧：１１６Ｖ、定格容量：１．６７ｋＷの抵抗器Ｒを６本有する第７抵抗器群Ｇ７（定格容量：１０ｋＷ、第８抵抗器群Ｇ８や第９抵抗器群Ｇ９も同じ）が、設けられた例を示す。ただし、抵抗器群Ｇの数やそれぞれの定格電圧や定格容量は上述の構成に限るものではない。図５に示す第３抵抗ユニット３０の第７抵抗器群Ｇ７〜第９抵抗器群Ｇ９内の丸印の部分に、各抵抗器Ｒの端部が取り付けられる。
【００９１】
第５Ｕ相バーＵＢ５（第１Ｕ相抵抗ユニット側端子）は、第３抵抗ユニット３０におけるＵ相端子の１つで、第５Ｕ相接続バーＵＣＢ５、第４抵抗ユニット４０の第７Ｕ相バーＵＢ７、第１Ｕ相接続ケーブルＵＣ１を介して、冷却部５０の第１Ｕ相端子Ｕ１と接続される。
【００９２】
第５Ｖ相バーＶＢ５（第１Ｖ相抵抗ユニット側端子）は、第３抵抗ユニット３０におけるＶ相端子の１つで、第５Ｖ相接続バーＶＣＢ５、第４抵抗ユニット４０の第７Ｖ相バーＶＢ７、第１Ｖ相接続ケーブルＶＣ１を介して、冷却部５０の第１Ｖ相端子Ｖ１と接続される。
【００９３】
第５Ｗ相バーＷＢ５（第１Ｗ相抵抗ユニット側端子）は、第３抵抗ユニット３０におけるＷ相端子の１つで、第５Ｖ相接続バーＷＣＢ５、第４抵抗ユニット４０の第７Ｗ相バーＷＢ７、第１Ｗ相接続ケーブルＷＣ１を介して、冷却部５０の第１Ｗ相端子Ｗ１と接続される。
【００９４】
第６Ｕ相バーＵＢ６（第２Ｕ相抵抗ユニット側端子）は、第３抵抗ユニット３０におけるＵ相端子の１つで、第６Ｕ相接続バーＵＣＢ６、第４抵抗ユニット４０の第８Ｕ相バーＵＢ８、第２Ｕ相接続ケーブルＵＣ２を介して、冷却部５０の第２Ｕ相端子Ｕ２と接続される。
【００９５】
第６Ｖ相バーＶＢ６（第２Ｖ相抵抗ユニット側端子）は、第３抵抗ユニット３０におけるＶ相端子の１つで、第６Ｖ相接続バーＶＣＢ６、第４抵抗ユニット４０の第８Ｖ相バーＶＢ８、第２Ｖ相接続ケーブルＶＣ２を介して、冷却部５０の第２Ｖ相端子Ｖ２と接続される。
【００９６】
第６Ｗ相バーＷＢ６（第２Ｗ相抵抗ユニット側端子）は、第３抵抗ユニット３０におけるＷ相端子の１つで、第６Ｗ相接続バーＷＣＢ６、第４抵抗ユニット４０の第８Ｗ相バーＷＢ８、第２Ｗ相接続ケーブルＷＣ２を介して、冷却部５０の第２Ｗ相端子Ｗ２と接続される。
【００９７】
第５Ｕ相バーＵＢ５、第５Ｖ相バーＶＢ５、第５Ｗ相バーＷＢ５、第６Ｕ相バーＵＢ６、第６Ｖ相バーＶＢ６、第６Ｗ相バーＷＢ６は、鉄などの導電性の金属の板状部材で構成され、他の抵抗ユニットなどとの接続用のネジ穴や、スイッチング装置ＳＷや抵抗器Ｒとの接続用のネジ穴を有する。
【００９８】
第７抵抗器群Ｇ７は、６本の抵抗器Ｒ（第１抵抗器Ｒ１〜第６抵抗器Ｒ６）、２つのスイッチング装置ＳＷ（第１スイッチング装置ＳＷ１、第２スイッチング装置ＳＷ２）を有する（図１４参照）。
【００９９】
第１抵抗器Ｒ１〜第３抵抗器Ｒ３の一方の端子は、短絡バーで接続される。
【０１００】
第１抵抗器Ｒ１の他方の端子は、第１スイッチング装置ＳＷ１を介して、冷却部５０の第１Ｕ相端子Ｕ１からの線（第１Ｕ相ラインＬＵ１）上にある第５Ｕ相バーＵＢ５に接続される。
第２抵抗器Ｒ２の他方の端子は、第１スイッチング装置ＳＷ１を介して、冷却部５０の第１Ｖ相端子Ｖ１からの線（第１Ｖ相ラインＬＶ１）上にある第５Ｖ相バーＶＢ５に接続される。
第３抵抗器Ｒ３の他方の端子は、第１スイッチング装置ＳＷ１を介して、冷却部５０の第１Ｗ相端子Ｗ１からの線（第１Ｗ相ラインＬＷ１）上にある第５Ｗ相バーＷＢ５に接続される。
【０１０１】
第４抵抗器Ｒ４の一方の端子は、第２スイッチング装置ＳＷ２を介して、冷却部５０の第１Ｕ相端子Ｕ１からの線（第１Ｕ相ラインＬＵ１）上にある第５Ｕ相バーＵＢ５に接続される。
第５抵抗器Ｒ５の一方の端子は、第２スイッチング装置ＳＷ２を介して、冷却部５０の第１Ｖ相端子Ｖ１からの線（第１Ｖ相ラインＬＶ１）上にある第５Ｖ相バーＶＢ５に接続される。
第６抵抗器Ｒ６の一方の端子は、第２スイッチング装置ＳＷ２を介して、冷却部５０の第１Ｗ相端子Ｗ１からの線（第１Ｗ相ラインＬＷ１）上にある第５Ｗ相バーＷＢ５に接続される。
【０１０２】
第４抵抗器Ｒ４の他方の端子は、冷却部５０の第２Ｕ相端子Ｕ２からの線（第２Ｕ相ラインＬＵ２）上にある第６Ｕ相バーＵＢ６に接続される。
第５抵抗器Ｒ５の他方の端子は、冷却部５０の第２Ｖ相端子Ｖ２からの線（第２Ｖ相ラインＬＶ２）上にある第６Ｖ相バーＶＢ６に接続される。
第６抵抗器Ｒ６の他方の端子は、冷却部５０の第２Ｗ相端子Ｗ２からの線（第２Ｗ相ラインＬＷ２）上にある第６Ｗ相バーＷＢ６に接続される。
【０１０３】
第１スイッチング装置ＳＷ１は、三連スイッチを構成し、第１抵抗器Ｒ１と第５Ｕ相バーＵＢ５、第２抵抗器Ｒ２と第５Ｖ相バーＶＢ５、第３抵抗器Ｒ３と第５Ｗ相バーＷＢ５の間の接続状態を制御する。
第２スイッチング装置ＳＷ２は、三連スイッチを構成し、第４抵抗器Ｒ４と第５Ｕ相バーＵＢ５、第５抵抗器Ｒ５と第５Ｖ相バーＶＢ５、第６抵抗器Ｒ６と第５Ｗ相バーＷＢ５の間の接続状態を制御する。
なお、第１スイッチング装置ＳＷ１と第２スイッチング装置ＳＷ２が六連スイッチを構成する形態であってもよい。
【０１０４】
第１スイッチング装置ＳＷ１や第２スイッチング装置ＳＷ２のオンオフ制御を行う制御線は、第３接続部３５に接続される。第３接続部３５が、第３制御線６３を介して、冷却部５０の制御端子部５７（第３接続端子５７ｃ）に接続された場合に、冷却部５０の操作部５５（第７操作スイッチＳ７）のオンオフ操作に対応して、第１スイッチング装置ＳＷ１や第２スイッチング装置ＳＷ２のオンオフ制御が行われる。
【０１０５】
第８抵抗器群Ｇ８と第９抵抗器群Ｇ９は、第７抵抗器群Ｇ７と同様に、６本の抵抗器Ｒ（第１抵抗器Ｒ１〜第６抵抗器Ｒ６）と２つのスイッチング装置ＳＷ（第１スイッチング装置ＳＷ１、第２スイッチング装置ＳＷ２）を有するので、説明は省略する。ただし、定格電圧や定格容量に応じて、抵抗値Ｒの抵抗値は、抵抗器群ごとに異なる。
【０１０６】
なお、第８抵抗器群Ｇ８の第１スイッチング装置ＳＷ１や第２スイッチング装置ＳＷ２は、操作部５５の第８操作スイッチＳ８のオンオフ操作に連動し、第９抵抗器群Ｇ９の第１スイッチング装置ＳＷ１や第２スイッチング装置ＳＷ２は、操作部５５の第９操作スイッチＳ９のオンオフ操作に連動する。
【０１０７】
第４抵抗ユニット４０の構成について説明する。第４抵抗ユニット４０は、第４フレーム４１、第４抵抗部４３、第４接続部４５、第４壁４７を有する。
【０１０８】
第４フレーム４１は、第４抵抗部４３を収納する。また、第４フレーム４１の側部には、第４接続部４５が設けられる。また、第４フレーム４１の側部は、絶縁素材で構成され、第４抵抗部４３を構成する部材（第７Ｕ相バーＵＢ７、第８Ｕ相バーＵＢ８、第７Ｖ相バーＶＢ７、第８Ｖ相バーＶＢ８、第７Ｗ相バーＷＢ７、第８Ｗ相バーＷＢ８、第１０抵抗器群Ｇ１０〜第１２抵抗器群Ｇ１２）を覆う第４壁４７が設けられる。第４フレーム４１の上面と下面は、下部に設けられた冷却部５０からの冷風を上部に流すために開口する。
【０１０９】
第４抵抗部４３は、ｘ方向に平行な棒状の抵抗器Ｒがｙ方向に所定の間隔を空けて複数本並べられた抵抗器列が、ｚ方向に１段以上並べられたもので、冷却部５０の電源端子部５６（第１Ｕ相端子Ｕ１と第１Ｖ相端子Ｖ１と第１Ｗ相端子Ｗ１、若しくは第２Ｕ相端子Ｕ２と第２Ｖ相端子Ｖ２と第２Ｗ相端子Ｗ２）を介して接続された発電機などの電源の負荷試験を行うために用いられる。
【０１１０】
本実施形態では、第４フレーム４１には、ｙ方向に抵抗器Ｒを９本並べられた抵抗器列が、ｚ方向に２段並べられる。ただし、各抵抗器列に並べられる抵抗器Ｒの本数や、抵抗器列が積み重ねられる段数は、これに限るものではない。
【０１１１】
冷却ユニットを複数段積み重ねても、冷却部５０による抵抗器Ｒの冷却を効率良く行えるように、第４抵抗ユニット４０の抵抗器列を構成する抵抗器Ｒと当該抵抗器Ｒとｙ方向に隣接する抵抗器Ｒの中間の位置に、ｚ方向に隣接する抵抗器列の抵抗器Ｒが配置されるように、各抵抗器列の抵抗器Ｒが配列され、抵抗ユニットの抵抗器列は偶数段並べられるのが望ましい。
【０１１２】
第４フレーム４１内において、近接する６本の抵抗器Ｒを、１つの抵抗器群とし、試験対象電源からの電圧印加を行う抵抗器群の数を変えながら、負荷試験を行う。
【０１１３】
第４抵抗部４３は、第１０抵抗器群Ｇ１０〜第１２抵抗器群Ｇ１２、第７Ｕ相バーＵＢ７、第８Ｕ相バーＵＢ８、第７Ｖ相バーＶＢ７、第８Ｖ相バーＶＢ８、第７Ｗ相バーＷＢ７、第８Ｗ相バーＷＢ８を有する。
【０１１４】
本実施形態では、定格電圧：１１６Ｖ、定格容量：１．６７ｋＷの抵抗器Ｒを６本有する第１０抵抗器群Ｇ１０（定格容量：１０ｋＷ、第１１抵抗器群Ｇ１１や第１２抵抗器群Ｇ１２も同じ）が、設けられた例を示す。ただし、抵抗器群Ｇの数やそれぞれの定格電圧や定格容量は上述の構成に限るものではない。図５に示す第４抵抗ユニット４０の第１０抵抗器群Ｇ１０〜第１２抵抗器群Ｇ１２内の丸印の部分に、各抵抗器Ｒの端部が取り付けられる。
【０１１５】
第７Ｕ相バーＵＢ７（第１Ｕ相抵抗ユニット側端子）は、第４抵抗ユニット４０におけるＵ相端子の１つで、第１Ｕ相接続ケーブルＵＣ１を介して、冷却部５０の第１Ｕ相端子Ｕ１と接続される。
【０１１６】
第７Ｖ相バーＶＢ７（第１Ｖ相抵抗ユニット側端子）は、第４抵抗ユニット４０におけるＶ相端子の１つで、第１Ｖ相接続ケーブルＶＣ１を介して、冷却部５０の第１Ｖ相端子Ｖ１と接続される。
【０１１７】
第７Ｗ相バーＷＢ７（第１Ｗ相抵抗ユニット側端子）は、第４抵抗ユニット４０におけるＷ相端子の１つで、第１Ｗ相接続ケーブルＷＣ１を介して、冷却部５０の第１Ｗ相端子Ｗ１と接続される。
【０１１８】
第８Ｕ相バーＵＢ８（第２Ｕ相抵抗ユニット側端子）は、第４抵抗ユニット４０におけるＵ相端子の１つで、第２Ｕ相接続ケーブルＵＣ２を介して、冷却部５０の第２Ｕ相端子Ｕ２と接続される。
【０１１９】
第８Ｖ相バーＶＢ８（第２Ｖ相抵抗ユニット側端子）は、第４抵抗ユニット４０におけるＶ相端子の１つで、第２Ｖ相接続ケーブルＶＣ２を介して、冷却部５０の第２Ｖ相端子Ｖ２と接続される。
【０１２０】
第８Ｗ相バーＷＢ８（第２Ｗ相抵抗ユニット側端子）は、第４抵抗ユニット４０におけるＷ相端子の１つで、第２Ｗ相接続ケーブルＷＣ２を介して、冷却部５０の第２Ｗ相端子Ｗ２と接続される。
【０１２１】
第７Ｕ相バーＵＢ７、第７Ｖ相バーＶＢ７、第７Ｗ相バーＷＢ７、第８Ｕ相バーＵＢ８、第８Ｖ相バーＶＢ８、第８Ｗ相バーＷＢ８は、鉄などの導電性の金属の板状部材で構成され、他の抵抗ユニットなどとの接続用のネジ穴や、スイッチング装置ＳＷや抵抗器Ｒとの接続用のネジ穴を有する。
【０１２２】
第１０抵抗器群Ｇ１０は、６本の抵抗器Ｒ（第１抵抗器Ｒ１〜第６抵抗器Ｒ６）、２つのスイッチング装置ＳＷ（第１スイッチング装置ＳＷ１、第２スイッチング装置ＳＷ２）を有する（図１３参照）。
【０１２３】
第１抵抗器Ｒ１〜第３抵抗器Ｒ３の一方の端子は、短絡バーで接続される。
【０１２４】
第１抵抗器Ｒ１の他方の端子は、第１スイッチング装置ＳＷ１を介して、冷却部５０の第１Ｕ相端子Ｕ１からの線（第１Ｕ相ラインＬＵ１）上にある第７Ｕ相バーＵＢ７に接続される。
第２抵抗器Ｒ２の他方の端子は、第１スイッチング装置ＳＷ１を介して、冷却部５０の第１Ｖ相端子Ｖ１からの線（第１Ｖ相ラインＬＶ１）上にある第７Ｖ相バーＶＢ７に接続される。
第３抵抗器Ｒ３の他方の端子は、第１スイッチング装置ＳＷ１を介して、冷却部５０の第１Ｗ相端子Ｗ１からの線（第１Ｗ相ラインＬＷ１）上にある第７Ｗ相バーＷＢ７に接続される。
【０１２５】
第４抵抗器Ｒ４の一方の端子は、第２スイッチング装置ＳＷ２を介して、冷却部５０の第１Ｕ相端子Ｕ１からの線（第１Ｕ相ラインＬＵ１）上にある第７Ｕ相バーＵＢ７に接続される。
第５抵抗器Ｒ５の一方の端子は、第２スイッチング装置ＳＷ２を介して、冷却部５０の第１Ｖ相端子Ｖ１からの線（第１Ｖ相ラインＬＶ１）上にある第７Ｖ相バーＶＢ７に接続される。
第６抵抗器Ｒ６の一方の端子は、第２スイッチング装置ＳＷ２を介して、冷却部５０の第１Ｗ相端子Ｗ１からの線（第１Ｗ相ラインＬＷ１）上にある第７Ｗ相バーＷＢ７に接続される。
【０１２６】
第４抵抗器Ｒ４の他方の端子は、冷却部５０の第２Ｕ相端子Ｕ２からの線（第２Ｕ相ラインＬＵ２）上にある第８Ｕ相バーＵＢ８に接続される。
第５抵抗器Ｒ５の他方の端子は、冷却部５０の第２Ｖ相端子Ｖ２からの線（第２Ｖ相ラインＬＶ２）上にある第８Ｖ相バーＶＢ８に接続される。
第６抵抗器Ｒ６の他方の端子は、冷却部５０の第２Ｗ相端子Ｗ２からの線（第２Ｗ相ラインＬＷ２）上にある第８Ｗ相バーＷＢ８に接続される。
【０１２７】
第１スイッチング装置ＳＷ１は、三連スイッチを構成し、第１抵抗器Ｒ１と第７Ｕ相バーＵＢ７、第２抵抗器Ｒ２と第７Ｖ相バーＶＢ７、第３抵抗器Ｒ３と第７Ｗ相バーＷＢ７の間の接続状態を制御する。
第２スイッチング装置ＳＷ２は、三連スイッチを構成し、第４抵抗器Ｒ４と第７Ｕ相バーＵＢ７、第５抵抗器Ｒ５と第７Ｖ相バーＶＢ７、第６抵抗器Ｒ６と第７Ｗ相バーＷＢ７の間の接続状態を制御する。
なお、第１スイッチング装置ＳＷ１と第２スイッチング装置ＳＷ２が六連スイッチを構成する形態であってもよい。
【０１２８】
第１スイッチング装置ＳＷ１や第２スイッチング装置ＳＷ２のオンオフ制御を行う制御線は、第４接続部４５に接続される。第４接続部４５が、第４制御線６４を介して、冷却部５０の制御端子部５７（第４接続端子５７ｄ）に接続された場合に、冷却部５０の操作部５５（第１０操作スイッチＳ１０）のオンオフ操作に対応して、第１スイッチング装置ＳＷ１や第２スイッチング装置ＳＷ２のオンオフ制御が行われる。
【０１２９】
第１１抵抗器群Ｇ１１と第１２抵抗器群Ｇ１２は、第１０抵抗器群Ｇ１０と同様に、６本の抵抗器Ｒ（第１抵抗器Ｒ１〜第６抵抗器Ｒ６）と２つのスイッチング装置ＳＷ（第１スイッチング装置ＳＷ１、第２スイッチング装置ＳＷ２）を有するので、説明は省略する。ただし、定格電圧や定格容量に応じて、抵抗値Ｒの抵抗値は、抵抗器群ごとに異なる。
【０１３０】
なお、第１１抵抗器群Ｇ１１の第１スイッチング装置ＳＷ１や第２スイッチング装置ＳＷ２は、操作部５５の第１１操作スイッチＳ１１のオンオフ操作に連動し、第１２抵抗器群Ｇ１２の第１スイッチング装置ＳＷ１や第２スイッチング装置ＳＷ２は、操作部５５の第１２操作スイッチＳ１２のオンオフ操作に連動する。
【０１３１】
冷却部５０の構成について説明する。
冷却部５０は、第５フレーム５１、冷却ファン５３、操作部５５、電源端子部５６、制御端子部５７、短絡スイッチＳＳ１を有し、下部にはキャスターが設けられる。
【０１３２】
第１抵抗器群Ｇ１〜第１２抵抗器群Ｇ１２のスイッチング装置（第１スイッチング装置ＳＷ１、第２スイッチング装置ＳＷ２）や、短絡スイッチＳＳ１や、冷却ファン５３は、試験対象電源とは別の電源（負荷試験装置駆動用電源）で駆動される（図１参照）。
【０１３３】
操作部５５は、モードスイッチＭＳ、ファンスイッチＦＳ、第１操作スイッチＳ１〜第１２操作スイッチＳ１２を有する。
【０１３４】
モードスイッチＭＳは、回転式、若しくはスライド式（若しくはトグル式若しくは押しボタン式）の操作スイッチで、負荷試験装置１のオンオフや、試験対象の電源の種類を選択する（モード切替する）ために使用される。本実施形態では、低圧の負荷試験を行う第１モードと、高圧の負荷試験を行う第２モードを有する。
【０１３５】
定格電圧が２００Ｖの第１三相交流発電機の負荷試験を行う場合には、モードスイッチＭＳを第１モードに対応した操作位置に合わせる。
【０１３６】
定格電圧が４００Ｖの第２三相交流発電機（第１三相交流発電機よりも定格電圧が大きい発電機）の負荷試験を行う場合には、モードスイッチＭＳを第２モードに対応した操作位置に合わせる。
【０１３７】
なお、第１三相交流発電機などの定格電圧は、上述のものに限らない。例えば、抵抗器Ｒや抵抗器群Ｇの数やそれぞれの定格電圧や定格容量を、第１三相交流発電機の定格電圧が１００Ｖ、第２三相交流発電機の定格電圧が２００Ｖに対応させる形態が考えられる。
【０１３８】
負荷試験装置１をオフにする場合は、モードスイッチＭＳをオフの操作位置に合わせる。
【０１３９】
ファンスイッチＦＳは、スライド式（若しくはトグル式若しくは押しボタン式）の操作スイッチで、モードスイッチＭＳがオン状態（第１モード若しくは第２モードが選択された状態）で、冷却ファン５３のオンオフ制御を行うためのスイッチである。ファンスイッチＦＳを省略し、モードスイッチＭＳを第１モードか第２モードに対応する操作位置に合わせた時に、冷却ファン５３が動作する形態であってもよい。
【０１４０】
第１操作スイッチＳ１〜第１２操作スイッチＳ１２は、スライド式（若しくはトグル式若しくは押しボタン式）の操作スイッチで、第１抵抗器群Ｇ１〜第１２抵抗器群Ｇ１２それぞれの第１スイッチング装置ＳＷ１と第２スイッチング装置ＳＷ２のオンオフ制御を行うためのスイッチである。
【０１４１】
モードスイッチＭＳがオン状態（第１モード若しくは第２モードが選択された状態）で、第１操作スイッチＳ１をオン状態にすると、第１抵抗器群Ｇ１の第１スイッチング装置ＳＷ１と第２スイッチング装置ＳＷ２がオン状態（導通状態）にされて、第１抵抗器群Ｇ１に、第１Ｕ相端子Ｕ１と第１Ｖ相端子Ｖ１と第１Ｗ相端子Ｗ１（若しくは、第２Ｕ相端子Ｕ２と第２Ｖ相端子Ｖ２と第２Ｗ相端子Ｗ２）を介して負荷試験装置１に接続された試験対象電源からの電流が流れうる状態にされる。
【０１４２】
第２操作スイッチＳ２〜第１２操作スイッチＳ１２も、同様で、モードスイッチＭＳがオン状態（第１モード若しくは第２モードが選択された状態）で、オン状態にすると、対応する抵抗器群の第１スイッチング装置ＳＷ１と第２スイッチング装置ＳＷ２がオン状態（導通状態）にされて、当該抵抗器群に、第１Ｕ相端子Ｕ１と第１Ｖ相端子Ｖ１と第１Ｗ相端子Ｗ１（若しくは、第２Ｕ相端子Ｕ２と第２Ｖ相端子Ｖ２と第２Ｗ相端子Ｗ２）を介して負荷試験装置１に接続された試験対象電源からの電流が流れうる状態にされる。
【０１４３】
モードスイッチＭＳを第１モードか第２モードに対応した操作位置に合わせ、ファンスイッチＦＳをオン位置に合わせた場合に、冷却部５０の冷却ファン５３は駆動され、第１操作スイッチＳ１〜第１２操作スイッチＳ１２の操作状態に基づき第１抵抗器群Ｇ１〜第１２抵抗器群Ｇ１２それぞれの第１スイッチング装置ＳＷ１と第２スイッチング装置ＳＷ２のオンオフ制御が行われる。
【０１４４】
電源端子部５６は、試験対象の電源を接続するための端子で、第１三相交流発電機と接続するために使用される第１電源端子部５６ａ（第１Ｕ相端子Ｕ１、第１Ｖ相端子Ｖ１、第１Ｗ相端子Ｗ１）、第２三相交流発電機と接続するために使用される第２電源端子部５６ｂ（第２Ｕ相端子Ｕ２、第２Ｖ相端子Ｖ２、第２Ｗ相端子Ｗ２）を有する。
【０１４５】
第１三相交流発電機の負荷試験の場合は、短絡スイッチＳＳ１がオン状態（導通すなわち短絡状態）で、第１三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続する（図１１参照）。
【０１４６】
第２三相交流発電機の負荷試験の場合は、短絡スイッチＳＳ１がオフ状態で、第２三相交流発電機のＲ相、Ｓ相、Ｔ相からのケーブルを、それぞれ第２Ｕ相端子Ｕ２、第２Ｖ相端子Ｖ２、第２Ｗ相端子Ｗ２に接続する。
【０１４７】
制御端子部５７は、第１抵抗ユニット１０〜第４抵抗ユニット４０との制御線６０を接続させる端子で、第１接続端子５７ａ〜第４接続端子５７ｄを有する。
【０１４８】
第１接続端子５７ａが、第1制御線６１を介して、第１抵抗ユニット１０の第１接続部１５と接続された場合に、第１操作スイッチＳ１のオンオフ状態に応じて第１抵抗器群Ｇ１の第１スイッチング装置ＳＷ１や第２スイッチング装置ＳＷ２のオンオフ制御が行われ、第２操作スイッチＳ２のオンオフ状態に応じて第２抵抗器群Ｇ２の第１スイッチング装置ＳＷ１や第２スイッチング装置ＳＷ２のオンオフ制御が行われ、第３操作スイッチＳ３のオンオフ状態に応じて第３抵抗器群Ｇ３の第１スイッチング装置ＳＷ１や第２スイッチング装置ＳＷ２のオンオフ制御が行われる。
【０１４９】
第２接続端子５７ｂが、第２制御線６２を介して、第２抵抗ユニット２０の第２接続部２５と接続された場合に、第４操作スイッチＳ４のオンオフ状態に応じて第４抵抗器群Ｇ４の第１スイッチング装置ＳＷ１や第２スイッチング装置ＳＷ２のオンオフ制御が行われ、第５操作スイッチＳ５のオンオフ状態に応じて第５抵抗器群Ｇ５の第１スイッチング装置ＳＷ１や第２スイッチング装置ＳＷ２のオンオフ制御が行われ、第６操作スイッチＳ６のオンオフ状態に応じて第６抵抗器群Ｇ６の第１スイッチング装置ＳＷ１や第２スイッチング装置ＳＷ２のオンオフ制御が行われる。
【０１５０】
第３接続端子５７ｃが、第３制御線６３を介して、第３抵抗ユニット３０の第３接続部３５と接続された場合に、第７操作スイッチＳ７のオンオフ状態に応じて第７抵抗器群Ｇ７の第１スイッチング装置ＳＷ１や第２スイッチング装置ＳＷ２のオンオフ制御が行われ、第８操作スイッチＳ８のオンオフ状態に応じて第８抵抗器群Ｇ８の第１スイッチング装置ＳＷ１や第２スイッチング装置ＳＷ２のオンオフ制御が行われ、第９操作スイッチＳ９のオンオフ状態に応じて第９抵抗器群Ｇ９の第１スイッチング装置ＳＷ１や第２スイッチング装置ＳＷ２のオンオフ制御が行われる。
【０１５１】
第４接続端子５７ｄが、第４制御線６４を介して、第４抵抗ユニット４０の第４接続部４５と接続された場合に、第１０操作スイッチＳ１０のオンオフ状態に応じて第１０抵抗器群Ｇ１０の第１スイッチング装置ＳＷ１や第２スイッチング装置ＳＷ２のオンオフ制御が行われ、第１１操作スイッチＳ１１のオンオフ状態に応じて第１１抵抗器群Ｇ１１の第１スイッチング装置ＳＷ１や第２スイッチング装置ＳＷ２のオンオフ制御が行われ、第１２操作スイッチＳ１２のオンオフ状態に応じて第１２抵抗器群Ｇ１２の第１スイッチング装置ＳＷ１や第２スイッチング装置ＳＷ２のオンオフ制御が行われる。
【０１５２】
短絡スイッチＳＳ１は、第２Ｕ相端子Ｕ２と第２Ｖ相端子Ｖ２と第２Ｗ相端子Ｗ２を短絡するためのスイッチで、モードスイッチＭＳが、低圧負荷試験を行う第１モードに設定された場合にオン状態（短絡状態）にされる。
【０１５３】
モードスイッチＭＳの操作位置に応じて、短絡スイッチＳＳ１のオンオフ状態が制御され、第１操作スイッチＳ１〜第１２操作スイッチＳ１２の操作位置に応じて、第１抵抗器群Ｇ１〜第１２抵抗器群Ｇ１２それぞれの第１スイッチング装置ＳＷ１と第２スイッチング装置ＳＷ２のオンオフ状態（第１抵抗器群Ｇ１〜第１２抵抗器群Ｇ１２の導通状態）が制御される。
【０１５４】
モードスイッチＭＳを第１モードの操作位置に合わせ、第１操作スイッチＳ１がオン状態にされ、第２操作スイッチＳ２〜第１２操作スイッチＳ１２がオフ状態にされた場合には、短絡スイッチＳＳ１と、第１抵抗器群Ｇ１の第１スイッチング装置ＳＷ１と第２スイッチング装置ＳＷ２がオン状態にされ、他のスイッチはオフ状態にされる。
【０１５５】
このときに、第１三相交流発電機のＲ相、Ｓ相、Ｔ相からのケーブルを、それぞれ第１Ｕ相端子Ｕ１、第１Ｖ相端子Ｖ１、第１Ｗ相端子Ｗ１に接続していると、第１三相交流発電機のＲ相からの電流が、並列に接続された第１抵抗器群Ｇ１の第１抵抗器Ｒ１と第４抵抗器Ｒ４に流れうる状態にされ、第１三相交流発電機のＳ相からの電流が、並列に接続された第１抵抗器群Ｇ１の第２抵抗器Ｒ２と第５抵抗器Ｒ５に流れうる状態にされ、第１三相交流発電機のＴ相からの電流が、並列に接続された第１抵抗器群Ｇ１の第３抵抗器Ｒ３と第６抵抗器Ｒ６に流れうる状態にされる。
【０１５６】
モードスイッチＭＳを第２モードの操作位置に合わせ、第１操作スイッチＳ１がオン状態にされ、第２操作スイッチＳ２〜第１２操作スイッチＳ１２がオフ状態にされた場合には、第１抵抗器群Ｇ１の第１スイッチング装置ＳＷ１と第２スイッチング装置ＳＷ２がオン状態にされ、他のスイッチはオフ状態にされる。
【０１５７】
このときに、第２三相交流発電機のＲ相、Ｓ相、Ｔ相からのケーブルを、それぞれ第２Ｕ相端子Ｕ２、第２Ｖ相端子Ｖ２、第２Ｗ相端子Ｗ２に接続していると、第２三相交流発電機のＲ相からの電流が、直列に接続された第１抵抗器群Ｇ１の第１抵抗器Ｒ１と第４抵抗器Ｒ４に流れうる状態にされ、第２三相交流発電機のＳ相からの電流が、直列に接続された第１抵抗器群Ｇ１の第２抵抗器Ｒ２と第５抵抗器Ｒ５に流れうる状態にされ、第２三相交流発電機のＴ相からの電流が、直列に接続された第１抵抗器群Ｇ１の第３抵抗器Ｒ３と第６抵抗器Ｒ６に流れうる状態にされる。
【０１５８】
第１抵抗ユニット１０〜第４抵抗ユニット４０、冷却部５０の構成部材は、予め組み立てられた状態で使用される。第１抵抗ユニット１０〜第４抵抗ユニット４０や冷却部５０を接続するための部材（制御線６０や、第１Ｕ相接続バーＵＣＢ１等の接続部材）は、負荷試験装置１を使用する際に、第１抵抗ユニット１０などに着脱可能な状態で取り付けされる。
【０１５９】
このため、第１抵抗ユニット１０〜第４抵抗ユニット４０、冷却部５０が別体の状態で、持ち運びし、負荷試験を行う場所の近くで、これらを積み重ね、電気的な接続を行って負荷試験装置１を組み上げることが可能となる。また、持ち運び自体も、負荷試験装置１を一体で持ち運びする形態に比べて容易になる。
【０１６０】
また、第１抵抗ユニット１０〜第４抵抗ユニット４０は、抵抗器Ｒの仕様（定格電圧、定格容量など）の違いの他は、略同じ形状で略同じ配置の部材で構成されるので、１つの抵抗ユニットに不具合が生じた場合に、負荷試験装置１の全てを取り替えずに、当該不具合が生じた抵抗ユニットだけを他の抵抗ユニットと取り替えて、負荷試験を行うことが可能になる。
【０１６１】
組み立て時に、抵抗ユニット間や、冷却部５０との配線作業が必要になるが、抵抗器Ｒの電気的な接続は、第１Ｕ相接続バーＵＣＢ１などの接続部材の接続（ネジ止めなど）で行え、スイッチング装置ＳＷの制御線の接続は、第１制御線６１などの端子接続（コネクタ接続）で行えるため、誤配線せずに容易に配線を完了させることが可能になる。
【０１６２】
また、第１Ｕ相バーＵＢ１などの抵抗ユニット側端子の形状や配置が他の抵抗ユニットと共通するため、抵抗ユニット間の端子を接続させる第１Ｕ相接続バーＵＣＢ１などの接続バーの形状を共通化し、ネジ止めなどの作業を簡素化出来る。
【０１６３】
本実施形態では、４つの抵抗ユニット（第１抵抗ユニット１０〜第４抵抗ユニット４０）を積み重ねた負荷試験装置１を説明したが、抵抗ユニットの数（積み重ねる抵抗ユニットの段数）はこれに限るものではない。
【０１６４】
冷却ファン５３の冷却能力や、操作部５５や制御端子部５７の仕様の範囲内で、抵抗ユニットの数を代えて、様々な負荷に対応した負荷試験を行うことが可能になる。
【０１６５】
また、誤配線時に負荷試験装置１に想定外の電流が流れないように、電源端子部５６の端子の近傍で且つ、端子と接続されたライン上に第１オンオフスイッチＯＳＷ１、第２オンオフスイッチＯＳＷ２を設け、モードスイッチＭＳの操作位置に対応して、使用すべき端子（試験対象電源に対応して使用する端子）近傍のオンオフスイッチをオン状態にして導通可能な状態にし、使用しない端子（試験対象電源に対応しない端子）近傍のオンオフスイッチをオフ状態にして導通不能な状態にする形態であってもよい（図１７参照）。
【０１６６】
第１オンオフスイッチＯＳＷ１は、第１Ｕ相ラインＬＵ１、第１Ｖ相ラインＬＶ１、第１Ｗ相ラインＬＷ１上であって、第１Ｕ相端子Ｕ１や第１Ｖ相端子Ｖ１や第１Ｗ相端子Ｗ１の近傍に設けられた三連スイッチである。
【０１６７】
第２オンオフスイッチＯＳＷ２は、第２Ｕ相ラインＬＵ２、第２Ｖ相ラインＬＶ２、第２Ｗ相ラインＬＷ２上であって、第２Ｕ相端子Ｕ２や第２Ｖ相端子Ｖ２や第２Ｗ相端子Ｗ２と短絡スイッチＳＳ１の間に設けられた三連スイッチである。
【０１６８】
モードスイッチＭＳを第１モードに対応した操作位置に合わせた場合には、第１オンオフスイッチＯＳＷ１をオン状態にし、第２オンオフスイッチＯＳＷ２はオフ状態にする。
【０１６９】
モードスイッチＭＳを第２モードに対応した操作位置に合わせた場合には、第２オンオフスイッチＯＳＷ２をオン状態にし、第１オンオフスイッチＯＳＷ１はオフ状態にする。
【０１７０】
モードスイッチＭＳをオフの操作位置に合わせた場合には、第１オンオフスイッチＯＳＷ１と第２オンオフスイッチＯＳＷ２をオフ状態にする。
【符号の説明】
【０１７１】
１  負荷試験装置
１０  第１抵抗ユニット
１１  第１フレーム
１３  第１抵抗部
１５  第１接続部
１７  第１壁
２０  第２抵抗ユニット
２１  第２フレーム
２３  第２抵抗部
２５  第２接続部
２７  第２壁
３０  第３抵抗ユニット
３１  第３フレーム
３３  第３抵抗部
３５  第３接続部
３７  第３壁
４０  第４抵抗ユニット
４１  第４フレーム
４３  第４抵抗部
４５  第４接続部
４７  第４壁
５０  冷却部５０
５１  第５フレーム
５３  冷却ファン
５５  操作部
５６  電源端子部
５６ａ、５６ｂ  第１電源端子部、第２電源端子部
５７  制御端子部
５７ａ〜５７ｄ  第１接続端子〜第４接続端子
６０  制御線
６１〜６４  第１制御線〜第４制御線
ＦＳ  ファンスイッチ
Ｇ１〜Ｇ１２  第１抵抗器群〜第１２抵抗器群
ＭＳ  モードスイッチ
ＯＳＷ１、ＯＳＷ２  第１オンオフスイッチ、第２オンオフスイッチ
Ｒ  抵抗器
Ｒ１〜Ｒ６  第１抵抗器〜第６抵抗器
Ｓ１〜Ｓ１２  第１操作スイッチ〜第１２操作スイッチ
ＳＳ１  短絡スイッチ
ＳＷ１、ＳＷ２  第１スイッチング装置、第２スイッチング装置
Ｕ１、Ｕ２  第１Ｕ相端子、第２Ｕ相端子
ＵＢ１〜ＵＢ８  第１Ｕ相バー〜第８Ｕ相バー
ＵＣ１、ＵＣ２  第１Ｕ相接続ケーブル、第２Ｕ相接続ケーブル
ＵＣＢ１〜ＵＣＢ６  第１Ｕ相接続バー〜第６Ｕ相接続バー
Ｖ１、Ｖ２  第１Ｖ相端子、第２Ｖ相端子
ＶＢ１〜ＶＢ８  第１Ｖ相バー〜第８Ｖ相バー
ＶＣ１、ＶＣ２  第１Ｖ相接続ケーブル、第２Ｖ相接続ケーブル
ＶＣＢ１〜ＶＣＢ６  第１Ｖ相接続バー〜第６Ｖ相接続バー
Ｗ１、Ｗ２  第１Ｗ相端子、第２Ｗ相端子
ＷＢ１〜ＷＢ６  第１Ｗ相バー〜第８Ｗ相バー
ＷＣ１、ＷＣ２  第１Ｗ相接続ケーブル、第２Ｗ相接続ケーブル
ＷＣＢ１〜ＷＣＢ６  第１Ｗ相接続バー〜第６Ｗ相接続バー
【要約】
【課題】  容易に持ち運び可能な負荷試験装置を提供する。
【解決手段】  抵抗器と、抵抗器の接続状態を変えるスイッチング装置とを有する抵抗器群を１以上と、スイッチング装置と接続される抵抗ユニット側端子とを有する抵抗ユニットを備える。冷却ファンと、電源端子部と、スイッチング装置のオンオフ制御を行う操作スイッチを含む操作部と、操作スイッチの操作状態に応じてスイッチング装置のオンオフ制御を行うために抵抗ユニットと制御線を介して接続する制御端子部とを有する冷却部を備える。抵抗ユニットは、冷却部の上部に着脱可能な状態で積み重ねられ、抵抗ユニットの抵抗ユニット側端子と、他の抵抗ユニットの抵抗ユニット側端子との第１接続や、抵抗ユニットのうち冷却部と隣接するものにおける抵抗ユニット側端子と、冷却部の電源端子部との第２接続は、冷却部の上に抵抗ユニットを積み重ねた後に、着脱可能な導電性の接続部材を介して行われる。
【選択図】図７【図１】
0005497234.tif 000002
【図２】
0005497234.tif 000003
【図３】
0005497234.tif 000004
【図４】
0005497234.tif 000005
【図５】
0005497234.tif 000006
【図６】
0005497234.tif 000007
【図７】
0005497234.tif 000008
【図８】
0005497234.tif 000009
【図９】
0005497234.tif 000010
【図１０】
0005497234.tif 000011
【図１１】
0005497234.tif 000012
【図１２】
0005497234.tif 000013
【図１３】
0005497234.tif 000014
【図１４】
0005497234.tif 000015
【図１５】
0005497234.tif 000016
【図１６】
0005497234.tif 000017
【図１７】
0005497234.tif 000018